(57)【特許請求の範囲】
【請求項１】
外部から給水された洗浄用水を貯水するタンクと、前記タンクから前記洗浄用水を導水する流路と、前記タンクの下方に設けられ、前記流路で導水された前記洗浄用水を加圧して送出するポンプと、前記ポンプから送出された前記洗浄用水を導水する配管と、前記配管と分離可能であって、前記配管で導水された前記洗浄用水を導水するホースと、前記ホースで導水された前記洗浄用水を吐出するノズルヘッドと、前記ポンプを駆動して前記洗浄用水の吐出制御を行う吐出制御手段と、前記配管および前記ホースを結合する結合部と、を有する頭皮洗浄器において、
前記結合部は、前記タンクの満水面より上方に配置されていることを特徴とする頭皮洗浄器。
【請求項２】
外部から給水された洗浄用水を貯水するタンクと、前記タンクから前記洗浄用水を導水する流路と、前記流路で導水された前記洗浄用水を吐出するノズルヘッドと、前記タンクの下方に設けられ、前記流路に導水された前記洗浄用水を加圧して前記ノズルヘッドへ送出するポンプと、前記ポンプを駆動して前記洗浄用水の吐出制御を行う吐出制御手段と、を有する頭皮洗浄器において、
前記流路のうち、前記ポンプから前記ノズルヘッドまでの間の流路の一部を前記タンクの満水面より上方に保持する保持部を備えたことを特徴とする頭皮洗浄器。
【発明の詳細な説明】
【０００１】
【発明の属する技術分野】
この発明は、頭皮洗浄器に関し、より詳細には、洗浄用水の漏出を防いだ頭皮洗浄器に関する。また、応用分野として、頭部の他に顔部、身体等の洗浄器が挙げられる。
【０００２】
【従来の技術】
従来から、洗浄効率の向上やマッサージ効果等の利便性や快適性を求めた頭皮洗浄器がある。特開平１１−１９６９２５号公報「頭部・顔部洗浄装置」によれば、洗浄効果や使用感が優れた範囲でピーク水圧および間欠パルス数を調整できるため、常に優れた洗浄効果および使用感（マッサージ効果）を得ることができるという方法が開示されている。
【０００３】
また、図５は、従来の頭皮洗浄器の一例を示す概略構成図である。従来の頭皮洗浄器では、結合部６が、点線Ｃの高さに位置している。ここで、点線Ａと点線Ｃとの高低差は、Ｂである。よって、タンク２に満水した頭皮洗浄器を使用していない場合、結合部６では、高低差Ｂの分の水圧がかかっている。ノズルヘッド８が、点線Ｄの高さに位置したとき（図５で示した点線部分）、高低差Ｂの分の水圧により、ノズルヘッド８から洗浄用水が吐出される。また、結合部６からホース７を分離したとき、結合部６には、高低差Ｂの分だけ水圧がかかっているため、洗浄用水が結合部６から吐出される。
【０００４】
【発明が解決しようとする課題】
しかしながら、特開平１１−１９６９２５号公報および図５に示す頭皮洗浄器によれば、ホースの取付位置がタンク満水面より下方に位置していたため、ホースが取り付けられていたときでも、ノズルヘッドをタンクより下方に置くと、ノズルから洗浄用水が漏出するという問題点があった。
【０００５】
また、ホースが取り付けられていないとき、タンクへ洗浄用水を給水すると、ホース取付位置から洗浄用水が溢れ出るという問題点があった。
【０００６】
この発明は上記に鑑みてなされたものであって、ノズルヘッドをタンクより下方に置いたときに、タンクへ洗浄用水を給水しても、洗浄用水の漏出を防ぐことを目的とする。
【０００７】
また、ホースが取り付けられていないときに、タンクへ洗浄用水を給水しても、洗浄用水の漏出を防ぐことを目的とする。
【０００８】
【課題を解決するための手段】
上記目的を達成するため、請求項１に記載の発明に係る頭皮洗浄器は、外部から給水された洗浄用水を貯水するタンクと、前記タンクから前記洗浄用水を導水する流路と、前記タンクの下方に設けられ、前記流路で導水された前記洗浄用水を加圧して送出するポンプと、前記ポンプから送出された前記洗浄用水を導水する配管と、前記配管と分離可能であって、前記配管で導水された前記洗浄用水を導水するホースと、前記ホースで導水された前記洗浄用水を吐出するノズルヘッドと、前記ポンプを駆動して前記洗浄用水の吐出制御を行う吐出制御手段と、前記配管および前記ホースを結合する結合部と、を有する頭皮洗浄器において、前記結合部は、前記タンクの満水面より上方に配置されていることを特徴とする。
【０００９】
この発明によれば、結合部が、タンクの満水面より上方に位置することにより、ノズルヘッドをタンクより下方に置いたときに、タンクへ洗浄用水を給水しても、洗浄用水の漏出を防ぐことができる。
【００１０】
また、請求項２に記載の発明に係る頭皮洗浄器は、請求項１に記載の頭皮洗浄器において、外部から給水された洗浄用水を貯水するタンクと、前記タンクから前記洗浄用水を導水する流路と、前記流路で導水された前記洗浄用水を吐出するノズルヘッドと、前記タンクの下方に設けられ、前記流路に導水された前記洗浄用水を加圧して前記ノズルヘッドへ送出するポンプと、前記ポンプを駆動して前記洗浄用水の吐出制御を行う吐出制御手段と、を有する頭皮洗浄器において、前記流路のうち、前記ポンプから前記ノズルヘッドまでの間の流路の一部を前記タンクの満水面より上方に保持する保持部を備えたことを特徴とする。
【００１１】
この発明によれば、保持部が、流路の一部をタンクの満水面より上方に保持することにより、ノズルヘッドをタンクより下方に置いたときに、タンクへ洗浄用水を給水しても、洗浄用水の漏出を防ぐことができる。
【００１２】
【発明の実施の形態】
以下に添付図面を参照して、本発明に係る頭皮洗浄装置の好適な実施の形態を詳細に説明する。なお、以下に述べるのは、一例であり、特に限定するものではない。
【００１３】
（実施の形態１）
図１は、実施の形態１における頭皮洗浄器の概略構成図である。本発明の頭皮洗浄器は、筐体１と、外部から給水された洗浄用水を貯水するタンク２と、タンク２から連結部３に導水された洗浄用水を加圧して配管４へ送出するポンプ５と、配管４を筐体１へ結合する結合部６と、結合部６に結合し、配管４で導水された洗浄用水を導水するホース７と、ホース７で導水された洗浄用水を吐出するノズルヘッド８と、ポンプ５に電源を供給するバッテリ９と、ポンプ５を断続的に駆動して吐出制御を行う吐出制御部１０と、から構成される。ここで、結合部６は、本発明の結合部に相当する。なお、図１では、配管４およびホース７が筐体１へ結合する構成としているが、必ずしも筐体１へ結合する必要はない。また、点線Ａは、タンク２の満水面を表している。
【００１４】
以上の構成において、その動作を説明する。実施の形態１における頭皮洗浄器を用いて頭皮を洗浄するとき、頭皮を洗浄するユーザまたは洗浄者は、図示しない電源スイッチを操作して電源を投入する。電源が投入されると、バッテリ９からポンプ５および吐出制御部１０へ電源が供給され、吐出制御部１０が、ポンプ５を駆動制御する。駆動制御されたポンプ５は、タンク２から連結部３を介して導水された洗浄用水を断続的に加圧して配管４へ送出する。
【００１５】
配管４で導水された洗浄用水は、結合部６を経由してホース７へ送出される。ホース７で導水された洗浄用水は、ノズルヘッド８から断続的に吐出される。ユーザまたは洗浄者は、ノズルヘッド８から断続的に吐出された洗浄用水で頭皮を洗浄する。頭皮の洗浄を終えた後、電源スイッチを操作して電源を遮断し、ノズルヘッド８を収納する。
【００１６】
タンク２の洗浄用水は、予め貯水されており、使用している途中で随時給水される。配管４は、ポンプ５を介してタンク２と接続されているので、頭皮洗浄器を使用しないとき、配管４内部の水位は、タンク２の水位と同じである。配管４内部の水位が、結合部６（点線Ａの高さ）より高くなることはない。即ち、結合部６がタンク２の満水面より高い位置にあるため、タンク２に満水した頭皮洗浄器を使用しておらず、ノズルヘッド８がタンク２の水面より下方に位置したとき、タンク２へ洗浄用水を給水しても、洗浄用水の漏出を防ぐことができる。
【００１７】
図２は、結合部６の分離／結合を表した図である。結合部６は、挿入部６ａと、挿入口６ｂと、から構成される。頭皮洗浄器を使用しないとき（収納時など）、結合部６を頭皮洗浄器本体とホース７およびノズルヘッド８に分離して、収納する。頭皮洗浄器を使用するときは、挿入部６ａを挿入口６ｂへ挿入して、結合し、水路を接続する。
【００１８】
結合部６が、挿入部６ａおよび挿入口６ｂへ分離可能であるため、収納時、ホース７およびノズルヘッド８を分離して、コンパクトにできる。
【００１９】
前述したように、実施の形態１における頭皮洗浄器では、結合部６が、筐体１上で配管４とホース７とを結合し、かつ、タンク２の満水面より上方に位置するため、ノズルヘッド８がタンク２より下方に位置していたときに、タンク２へ洗浄用水を給水しても、洗浄用水の漏出を防ぐことができる。さらに、結合部６が、挿入部６ａおよび挿入口６ｂへ分離可能であるため、収納時、ホース７およびノズルヘッド８を分離して、コンパクトにできる。
【００２０】
（実施の形態２）
実施の形態２における頭皮洗浄器は、実施の形態１における頭皮洗浄器とほぼ同じ構成であるので、ここでは、異なる部分のみを説明する。
【００２１】
図３は、実施の形態２における頭皮洗浄器の概略構成図である。実施の形態２における頭皮洗浄器は、筐体１と、外部から給水された洗浄用水を貯水するタンク２と、タンク２から連結部３に導水された洗浄用水を加圧してホース１１へ送出するポンプ５と、ホース１１で導水された洗浄用水を吐出するノズルヘッド８と、ポンプ５を駆動するバッテリ９と、ポンプ５を断続的に駆動して吐出制御を行う吐出制御部１０と、ホース１１の一部をタンク２の満水面より上方に支える保持部１２と、から構成される。ここで、保持部１２は、本発明の保持部に相当する。また、点線Ａは、タンク２の満水面を表している。
【００２２】
タンク２の洗浄用水は、予め貯水されており、使用している途中で随時給水される。ホース１１は、ポンプ５を介してタンク２と接続されているので、頭皮洗浄器を使用しないとき、ホース１１内部の水位は、タンク２の水位と同じである。ホース１１内部の水位が、保持部１２で支えられている高さ（点線Ａの高さ）より高くなることはない。即ち、保持部１２がホース１１の一部をタンク２の満水面より上方に支えるため、タンク２に満水した頭皮洗浄器を使用しておらず、ノズルヘッド８がタンク２の水面より下方に位置したとき、タンク２へ洗浄用水を給水しても、洗浄用水の漏出を防ぐことができる。
【００２３】
（実施の形態３）
実施の形態３における頭皮洗浄器は、実施の形態１における頭皮洗浄器とほぼ同じ構成であるので、ここでは、異なる部分のみを説明する。
【００２４】
図４は、実施の形態３における頭皮洗浄器の概略構成図である。実施の形態３における頭皮洗浄器は、筐体１と、外部から給水された洗浄用水を貯水するタンク２と、タンク２から連結部３に導水された洗浄用水を加圧してホース１１へ送出するポンプ５と、ホース１１で導水された洗浄用水を吐出するノズルヘッド８と、ポンプ５を駆動するバッテリ９と、ポンプ５を断続的に駆動して吐出制御を行う吐出制御部１０と、ノズルヘッド８をタンク２の満水面の高さで支えるフック１３と、から構成される。ここで、フック１３は、本発明の保持部に相当する。また、点線Ａは、タンク２の満水面を表している。
【００２５】
タンク２の洗浄用水は、予め貯水されており、使用している途中で随時給水される。ホース１１は、ポンプ５を介してタンク２と接続されているので、頭皮洗浄器を使用しないとき、ホース１１内部の水位は、タンク２の水位と同じである。ホース１１内部の水位が、フック１３で支えられている高さ（点線Ａの高さ）より高くなることはない。即ち、フック１３がホース１１の一部をタンク２の満水面より上方に支えるため、タンク２に満水した頭皮洗浄器を使用しておらず、ノズルヘッド８がタンク２の水面より下方に位置したとき、タンク２へ洗浄用水を給水しても、洗浄用水の漏出を防ぐことができる。
【００２６】
【発明の効果】
以上説明したように、請求項１に記載の発明によれば、結合部が、タンクの満水面より上方に位置するため、ノズルヘッドをタンクより下方に置いたときに、タンクへ洗浄用水を給水しても、洗浄用水の漏出を防ぐことができる。さらに、ホースが取り付けられていないときに、タンクへ洗浄用水を給水しても、洗浄用水の漏出を防ぐことができる。
【００２７】
また、請求項２に記載の発明によれば、保持部が、ポンプからノズルヘッドまでの間の流路の一部をタンクの満水面より上方に保持するため、ノズルヘッドをタンクより下方に置いたときに、タンクへ洗浄用水を給水しても、洗浄用水の漏出を防ぐことができる。
【図面の簡単な説明】
【図１】実施の形態１における頭皮洗浄器の概略構成図である。
【図２】結合部の分離／結合を表した図である。
【図３】実施の形態２における頭皮洗浄器の概略構成図である。
【図４】実施の形態３における頭皮洗浄器の概略構成図である。
【図５】従来の頭皮洗浄器の一例を示す概略構成図である。
【符号の説明】
１        筐体
２        タンク
３        連結部
４        配管
５        ポンプ
６        結合部
６ａ            挿入部
６ｂ            挿入口
７、１１  ホース
８        ノズルヘッド
１０            吐出制御部
１２            保持部
１３            フック
【図１】
0003984044.tif 000002
【図２】
0003984044.tif 000003
【図３】
0003984044.tif 000004
【図４】
0003984044.tif 000005
【図５】
0003984044.tif 000006